(57)【要約】【課題】内部にランプを支持するケースにおける立上片の隣合う側縁部間からケース内に外部の埃が侵入するのを困難にできる光源装置及び表示装置を提供する。【解決手段】四角形をなす板部２２ａ及び該板部２２ａの四辺部から立上がる立上片２２ｂ〜２２ｅを有し、内部にランプを支持するケース２２を備え、立上片２２ｂ〜２２ｅの隣合う側縁部２２ｘ，２２ｙを被覆する被覆体８を設け、立上片２２ｂ〜２２ｅの隣合う側縁部２２ｘ，２２ｙ間に隙間がある場合においても、外部の埃が立上片の隣合う側縁部２２ｘ，２２ｙ間からケース２２内に侵入するのを困難にできるようにした。【選択図】図６
2009212056.tif 000002
【特許請求の範囲】
【請求項１】
板部及び該板部の周縁の複数箇所から立上がる複数の立上片を有し、内部に複数のランプを支持するケースを備える光源装置において、隣合う立上片の間を被覆する被覆体を備えることを特徴とする光源装置。
【請求項２】
四角形をなす板部及び該板部の四辺部から立上がる立上片を有し、内部に複数のランプを支持するケースを備える光源装置において、隣合う立上片の間を被覆する被覆体を備えることを特徴とする光源装置。
【請求項３】
前記被覆体は、隣合う立上片の側縁部及び前記板部の周縁部を被覆する三つの被覆板部を有する請求項２記載の光源装置。
【請求項４】
前記被覆体を前記ケースに固定する固定手段を備える請求項１から３のいずれか一つに記載の光源装置。
【請求項５】
前記固定手段は、前記側縁部の少なくとも一方に開設されている螺子孔と、該螺子孔に対応し、前記被覆体に開設されている挿通孔及び該挿通孔に挿入して前記螺子孔に捩込まれる螺子とを有する請求項４記載の光源装置。
【請求項６】
前記固定手段は、前記被覆体の前記ケースと向き合う面に貼着される両面テープを有する請求項４記載の光源装置。
【請求項７】
前記固定手段は、前記被覆体の前記ケースと向き合う面に配されている係止部及び前記側縁部に配され、前記係止部が係止される被係止部を有する請求項４記載の光源装置。
【請求項８】
前記ランプは管状をなし、該ランプの端部を隠蔽するカバー体を備え、該カバー体に前記被覆体を一体に設けてある請求項２から７のいずれか一つに記載の光源装置。
【請求項９】
表側に画像表示面を有する表示部と、該表示部の裏側に配されている請求項１から８のいずれか一つに記載の光源装置とを備えることを特徴とする表示装置。
【請求項１０】
前記表示部は、前記ケースの周縁部に支持される表示パネル、及び該表示パネルの周縁部表側に配され、該表示パネルの周縁部を前記ケースの周縁部とにより表裏で挾持する挾持枠体を有する請求項９記載の表示装置。
【発明の詳細な説明】
【技術分野】
【０００１】
本発明は内部に複数のランプを支持するケースを備える光源装置、及び表側に表示面を有する表示パネルの裏側に光源装置を配してある液晶テレビジョン等の表示装置に関する。
【背景技術】
【０００２】
液晶テレビジョン等の表示装置が備える光源装置は、両端部に電極を有する複数本のランプと、該ランプが内部に並置されるケースとを備える（例えば、特許文献１参照）。ケースは、金属板製の四角形をなす板部及び該板部の四辺部から曲げ成形により立上がる四つの立上片を有する略直方体をなし、前記ランプが収容支持される。
【０００３】
また、光源装置を備える表示装置は、略直方体をなす表示パネル、該表示パネルの周縁部前側に配される前挾持枠体及び表示パネルの周縁部後側に配され、表示パネルの周縁部を前挾持枠体とにより前後で挾持する後挾持枠体を有する表示部と、該表示部の後側に配されている光源装置と、該光源装置及び前記表示部の間に配されている光学シートと、該光学シートの周縁部を封止するシール部材とを備え、外部の埃が前記光学シートの周縁側から表示パネルの後側へ侵入するのを防ぐように構成されている（例えば、特許文献１参照）。ところで、表示パネルの後側に侵入した埃は該表示パネルの後面に付着し、表示パネルの画像表示面に画像ムラとして現れる。
【特許文献１】特開２００６−２１５５１２号公報
【発明の開示】
【発明が解決しようとする課題】
【０００４】
ところが、特許文献１のように構成された光源装置のケースは、四角形をなす板部の四辺部に立上片が曲げ成形され、隣合う立上片の端末同士は離隔して対向し、隣合う立上片の端末部間に隙間が発生するため、外部の埃が前記端末部間の隙間からケース内に侵入する可能性がある。
【０００５】
また、この光源装置を備える表示装置は、光源装置におけるケースの周縁部と表示部との間に、光学シートの熱膨張を吸収するための若干の隙間が設けられているため、経年使用により、前記ケース内に侵入した埃が光学シート周縁側の隙間から表示パネルの裏側に侵入する可能性があり、より一層の改善策が要望されていた。
【０００６】
本発明は斯かる事情に鑑みてなされたものであり、主たる目的は板部及び該板部の周方向へ離隔した複数箇所の周縁から立上がる複数の立上片を有し、内部に複数のランプを支持するケースにおける隣合う立上片の間を被覆する被覆体をケース体に固定することにより、隣合う立上片の間からケース内に外部の埃が侵入するのを困難にできる光源装置及び表示装置を提供することにある。
【課題を解決するための手段】
【０００７】
本発明に係る光源装置は、板部及び該板部の周縁の複数箇所から立上がる複数の立上片を有し、内部に複数のランプを支持するケースを備える光源装置において、隣合う立上片の間を被覆する被覆体を備えることを特徴とする。
【０００８】
この発明にあっては、板部の周縁から立上がる複数の立上片のうち隣合う立上片の間は被覆体により被覆されているため、隣合う立上片の間に隙間がある場合においても、外部の埃が隣合う立上片の間からケース内に侵入するのを困難にできる。
【０００９】
また、本発明に係る光源装置は、四角形をなす板部及び該板部の四辺部から立上がる立上片を有し、内部に複数のランプを支持するケースを備える光源装置において、隣合う立上片の間を被覆する被覆体を備えることを特徴とする。
【００１０】
この発明にあっては、板部の四辺部から立上がる立上片のうち、隣合う立上片の間が被覆体により被覆されているため、隣合う立上片の間に隙間がある場合においても、外部の埃が立上片の隣合う端末部間からケース内に侵入するのを困難にできる。
【００１１】
また、本発明に係る光源装置は、前記被覆体は、隣合う立上片の側縁部及び前記板部の周縁部を被覆する三つの被覆板部を有する構成とするのが好ましい。
この発明にあっては、隣合う立上片の側縁部及び板部の周縁部がなす角部に被嵌することにより、該角部の隙間を被覆することができるため、角部の防塵対策を簡易にできる。
【００１２】
また、本発明に係る光源装置は、前記被覆体を前記ケースに固定する固定手段を備える構成とするのが好ましい。
この発明にあっては、被覆体が固定されているため、搬送時の振動等による被覆体の位置ずれをなくすることができ、防塵状態を維持することができる。また、隣合う立上片の側縁部を被覆体により補強することができ、ケースの剛性を高めることができる。
【００１３】
また、本発明に係る光源装置は、前記固定手段は、前記側縁部の少なくとも一方に開設されている螺子孔と、該螺子孔に対応し、前記被覆体に開設されている挿通孔及び該挿通孔に挿入して前記螺子孔に捩込まれる螺子とを有する構成とするのが好ましい。
この発明にあっては、螺子の捩じ込みにより被覆体を固定してあるため、隣合う立上片同士を被覆体により一体的に連結することが可能であり、ケースの剛性をより一層高め得る。
【００１４】
また、本発明に係る光源装置は、前記固定手段は、前記被覆体の前記ケースと向き合う面に貼着される両面テープを有する構成とするのが好ましい。
この発明にあっては、工具を用いることなく被覆体を固定することができるため、防塵状態を維持するための作業性を向上することができる。
【００１５】
また、本発明に係る光源装置は、前記固定手段は、前記被覆体の前記ケースと向き合う面に配されている係止部及び前記側縁部に配され、前記係止部が係止される被係止部を有する構成とするのが好ましい。
この発明にあっては、工具を用いることなく、また、位置ずれした箇所に粘着されることなく被覆体を適正位置に固定することができ、被覆体の固定作業性を向上することができる。
【００１６】
また、本発明に係る光源装置は、前記ランプは管状をなし、該ランプの端部を隠蔽するカバー体を備え、該カバー体に前記被覆体を一体に設けてある構成とするのが好ましい。
この発明にあっては、被覆体を備えることによる部品点数の増加がなく、カバー体を装着することによりケースの角部の隙間を被覆することができ、作業性を向上することができる。
【００１７】
また、本発明に係る表示装置は、表側に画像表示面を有する表示部と、該表示部の裏側に配されている前述した発明の光源装置とを備えることを特徴とする。
この発明にあっては、板部の周縁から立上がる複数の立上片のうち、隣合う立上片の側縁部が被覆体により被覆されているため、立上片の隣合う側縁部間に隙間がある場合においても、外部の埃が隣合う立上片の側縁部間からケース内に侵入するのを困難にでき、ケース内を経由して表示パネルの裏側へ埃が侵入するのを困難にできる。
【００１８】
また、本発明に係る表示装置は、前記表示部は、前記ケースの周縁部に支持される表示パネル、及び該表示パネルの周縁部表側に配され、該表示パネルの周縁部を前記ケースの周縁部とにより表裏で挾持する挾持枠体を有する構成とするのが好ましい。
この発明にあっては、表示パネルの周縁部が、ケースの周縁部及び挾持枠体により挾持されており、表示パネル及びケース間に挾持枠体がないため、表示装置の表裏厚さを薄くすることができ、薄型化することができる。
【発明の効果】
【００１９】
本発明によれば、ケースの隣合う立上片の間に隙間がある場合においても、外部の埃が立上片の隣合う側縁部間からケース内に侵入するのを困難にできる。また、ケース内を経由して表示パネルの裏側へ埃が侵入するのを困難にできる。
【発明を実施するための最良の形態】
【００２０】
以下本発明をその実施の形態を示す図面に基づいて詳述する。
実施の形態１
図１は本発明に係る表示装置の構成を示す正面図、図２は表示装置の構成を示す分解斜視図、図３は一部を省略した縦断側面図、図４は一部を省略した横断平面図である。
【００２１】
この表示装置はテレビ画像を表示する画像表示面１ａを前側に有し、略直方体をなす液晶の表示パネル１と、該表示パネル１の後側に配されている光源部２と、該光源部２及び表示パネル１間に配されている光学シート３と、表示パネル１の周縁部前側に配され、表示パネル１の周縁部前側を光源部２とにより前後に挾持する挾持枠体４と、表示パネル１の周縁部前側に配される額縁部５１を有し、表示パネル１の周縁部及び光源部２の後側を被覆するキャビネット５とを備える液晶テレビジョン、換言すれば液晶表示装置である。尚、光源部２が光源装置を構成し、表示パネル１及び挾持枠体４が表示部を構成している。
【００２２】
表示パネル１の前側に配されている挾持枠体４は、表示パネル１の周縁部前面に対向する矩形の環板部４１と、環板部４１の外縁から後方へ延出されている角筒部４２とを有し、環板部４１の複数の周方向位置には挿通孔が開設されており、また、環板部４１の内縁側後面には、表示パネル１の周縁部を弾性的に受止める帯状の弾性体４３が貼着されている。
【００２３】
光源部２は、複数本が上下に離隔して並置されている円筒形の管状をなすランプ２１と、該ランプ２１を収容支持し、且つ表示パネル１の周縁部及び光学シート３の周縁部を支持する略直方体をなすケース２２と、ケース２２内の両側に並設され、ランプ２１の両端部を隠蔽するカバー体２３，２３と、ケース２２の後壁内面に沿って配され、ケース２２内に収容されているランプ２１が発光した光をケース２２の開放側へ反射させる反射シート２４とを備え、ケース２２の後壁外面に回路基板等の電気部品が取付けられている。
【００２４】
ランプ２１は両端部に電極を有する冷陰極管又は熱陰極管であり、両端部がカバー体２３，２３により隠蔽され、また、中間部がランプクリップによりケース２２の後壁に保持されている。
【００２５】
図５はケース２２の構成を示す一部を省略した斜視図である。ケース２２は、四角形をなし、後壁である板部２２ａと、該板部２２ａの四辺部から前方へ立上がる第１〜第４の立上片２２ｂ〜２２ｅとを有し、金属板の曲げ成形により略直方体をなしている。
【００２６】
ケース２２の上下に離隔して対向する第１及び第３の立上片２２ｂ，２２ｄには、該立上片２２ｂ，２２ｄの前縁から光学シート３のシート面に沿って外方へ延出され、光学シート３の上下縁部を受止めるシート受止片２２ｆ，２２ｆと、該シート受止片２２ｆ，２２ｆの外縁から前方へ延出された延出片２２ｇ，２２ｇと、該延出片２２ｇ，２２ｇの前縁から光学シート３のシート面に沿って内方へ延出され、表示パネル１の上下縁部を受止めるパネル受止片２２ｈ，２２ｈと、シート受止片２２ｆ，２２ｆの複数箇所から前方へ切起しされ、光学シート３を保持するシート保持片２２ｉ，２２ｉとが一体に成形されている。パネル受止片２２ｈ，２２ｈの前面には、表示パネル１の周縁部を弾性的に受止める帯状の弾性体２６が貼着されている。また、シート受止片２２ｆ，２２ｆの外縁側には挾持枠体４の前記挿通孔に対応する貫通孔が開設された結合片が突設されている。
【００２７】
ケース２２の横方向に離隔して対向する第２及び第４の立上片２２ｃ，２２ｅには、該立上片２２ｃ，２２ｅの前縁から光学シート３のシート面に沿って外方へ延出され、カバー体２３，２３を受止める受止片２２ｊ，２２ｊと、該受止片２２ｊ，２２ｊの外縁から後方へ延出された結合片２２ｋ，２２ｋとが一体に成形されている。結合片２２ｋ，２２ｋには後記する係止爪が係止される複数の係止孔が開設されている。
【００２８】
カバー体２３，２３は、ランプ２１に対応した複数の凹部を有し、第２及び第４の立上片２２ｃ，２２ｅの内側に配されてランプ２１の両端部を隠蔽するランプ隠蔽片２３ａと、該ランプ隠蔽片２３ａの前縁から光学シート３のシート面に沿って外方へ延出され、光学シート３の側縁部を受止めるシート受止片２３ｂと、該シート受止片２３ｂの外縁から前方へ延出され、光学シート３の横移動を規制する規制部２３ｃと、該規制部２３ｃの前縁から光学シート３のシート面に沿って外方へ延出され、表示パネル１の側縁部を受止めるパネル受止片２３ｄと、該パネル受止片２３ｄの外縁から後方へ延出された結合片２３ｅと、パネル受止片２３ｄの後面から後方へ延出された脚片２３ｆとを有し、合成樹脂材料により一体に成形され、ケース２２の板部２２ａに複数本の螺子により固定されている。パネル受止片２２ｈ，２２ｈの前面には、表示パネル１の周縁部を弾性的に受止める帯状の弾性体２６が貼着されている。また、パネル受止片２３ｄの外縁側には前記挿通孔に対応する螺子孔が開設されており、結合片２３ｅには前記係止孔に対応する係止爪が設けられている。
【００２９】
以上のように構成された光源部２のケース２２は、第１〜第４の立上片２２ｂ〜２２ｅの隣合う側縁部同士は離隔して対向し、隣合う立上片の側縁部間、換言するとケース２２の角部に隙間ａが発生しており、この隙間ａ部分を被覆する被覆体８が設けられている。図６はケース２２の後側の構成を示す分解斜視図、図７はケース２２の角部に被覆体８が装着されている状態を示す斜視図である。
【００３０】
被覆体８は、第１及び第２の立上片２２ｂ，２２ｃの隣合う側縁部２２ｘ，２２ｙと板部２２ａの角部、第１及び第４の立上片２２ｂ，２２ｅの隣合う側縁部２２ｘ，２２ｙと板部２２ａの角部、第２及び第３の立上片２２ｃ，２２ｄの隣合う側縁部２２ｘ，２２ｙと板部２２ａの角部、第３及び第４の立上片２２ｄ，２２ｅの隣合う側縁部２２ｘ，２２ｙと板部２２ａの角部の夫々を被覆する三つの被覆板部８ａ，８ｂ，８ｃにより形成され、被覆板部８ａ，８ｂ，８ｃの内面が側縁部２２ｘ，２２ｙ及び板部２２ａの角部夫々に接触している。
【００３１】
隣合う側縁部２２ｘ，２２ｙの夫々には螺子孔２５，２５が開設されており、被覆体８の二つの側縁部２２ｘ，２２ｙと接触する被覆板部８ａ，８ｂには螺子孔２５，２５に対応する挿通孔８１，８１が開設され、挿通孔８１，８１へ挿通して螺子孔２５，２５に捩じ込まれる螺子９，９により被覆体８を固定してある。挿通孔８１，８１は、螺子９，９の螺子部が挿通される小径孔部及び螺子９，９の頭部を受入れる大径凹部を有し、螺子９，９の頭部が外部へ突出しないように構成されている。尚、螺子孔２５、挿通孔８１及び螺子９が固定手段を構成している。
【００３２】
板部２２ａの角部と接触する被覆板部８ｃの角部は略Ｖ字形に欠除され、欠除部を目印として被覆体８をケース２２の角部に被嵌することができるように構成されている。
【００３３】
キャビネット５は、表示パネル１の周縁部前側に配され、挾持枠体４の環板部４１を被覆する額縁部５１、及び該額縁部５１の外縁から後方へ延出され、挾持枠体４より大形の角筒部５２を有するキャビネット前分体５ａと、ケース２２の後側を被覆する皿状板部５３、及び該皿状板部５３の外縁から前方へ延出され、挾持枠体４より大形の角筒部５４を有するキャビネット後分体５ｂとを備え、角筒部５２，５４同士の嵌合により防塵するように構成されている。
【００３４】
キャビネット前分体５ａの額縁部５１は表示パネル１より大形に形成され、挾持枠体４の前記挿通孔に対応する筒形ボスが突設されており、ケース２２の前記結合片に開設されている貫通孔及び挾持枠体４の前記挿通孔に螺子を挿入して前記筒形ボスに捩じ込むことにより、キャビネット前分体５ａと挾持枠体４及び光源部２とが一体となる。また、額縁部５１及び角筒部５２の境界部の複数の周方向位置に筒形ボス５５が一体成形されている。
【００３５】
キャビネット後分体５ｂの皿状板部５３の外縁部には筒形ボス５５の孔に対応する複数の筒形ボス５６が周方向へ離隔して一体成形されており、該筒形ボス５６に螺子５７を挿入して前記筒形ボス５５に捩じ込むことにより、キャビネット前分体５ａ及びキャビネット後分体５ｂが一体となる。また、皿状板部５３には複数の放熱孔が開設されている。
【００３６】
以上のように構成された表示装置におけるケース２２の隙間ａが発生する角部には被覆体８が被嵌され、立上片２２ｂ〜２２ｅの隣合う側縁部２２ｘ，２２ｙと板部２２ａの角部とが被覆されているため、キャビネット５の皿状板部５３に開設されている放熱孔等からキャビネット５内へ侵入した埃が、ケース２２における立上片２２ｂ〜２２ｅの隣合う側縁部２２ｘ，２２ｙ間からケース２２内に侵入するのを困難にできる。従って、ケース２２の周縁部と表示パネル１との間に、光学シート３の熱膨張を吸収するための若干の隙間が設けられている場合においても、経年使用によりキャビネット５内の埃がケース２２内及び光学シート３周縁側の隙間を経て表示パネル１の後側に侵入するのを防ぐことができ、埃による画像ムラを長期間に亘って防ぐことができる。
【００３７】
実施の形態２
図８は表示装置の他の構成を示す要部の分解斜視図、図９はケース２２の角部に被覆体８が装着されている状態を示す斜視図である。この表示装置はケース２２の角部に被覆体８が両面テープ１０により固定されている。被覆体８は、三つの被覆板部８ａ，８ｂ，８ｃにより形成され、被覆板部８ａ，８ｂ，８ｃのケース２２と向き合う面に両面テープ１０が貼付けられており、該両面テープ１０夫々が立上片２２ｂ〜２２ｅの隣合う側縁部２２ｘ，２２ｙ及び板部２２ａの角部に貼付られている。尚、両面テープ１０が固定手段を構成している。
その他の構成及び作用は実施の形態１と同様であるため、同様の部品については同じ符号を付し、その詳細な説明及び作用効果の説明を省略する。
【００３８】
実施の形態３
図１０は表示装置の他の構成を示す要部の分解斜視図、図１１はケース２２の角部に被覆体８が装着されている状態を示す斜視図、図１２は被覆体８が装着されている箇所の断面図である。この表示装置はケース２２における立上片２２ｂ〜２２ｅの隣合う側縁部２２ｘ，２２ｙに、被係止部としての係止孔２７，２７が開設されており、三つの被覆板部８ａ，８ｂ，８ｃにより形成されている被覆体８のケース２２と向き合う面に、係止孔２７，２７に対応する凸状の係止部８２，８２が設けられている。尚、係止孔２７及び係止部８２が固定手段を構成している。
【００３９】
被覆体８は、二つの側縁部２２ｘ，２２ｙと接触する被覆板部８ａ，８ｂのケース２２と向き合う面に係止部８２，８２が突設されており、ケース２２の角部に被覆体８が被嵌される際、係止部８２，８２が二つの側縁部２２ｘ，２２ｙと接触し、被覆板部８ａ，８ｂが撓みつつ該被覆板部８ａ，８ｂに設けられている係止部８２，８２が係止孔２７，２７に係止されるように構成されている。
その他の構成及び作用は実施の形態１と同様であるため、同様の部品については同じ符号を付し、その詳細な説明及び作用効果の説明を省略する。
【００４０】
実施の形態４
図１３は表示装置の他の構成を示す要部の斜視図である。この表示装置はケース２２内の両側に配され、ランプ２１の両端部を隠蔽するカバー体２３，２３の長手方向両端部に、立上片２２ｂ〜２２ｅの隣合う側縁部２２ｘ，２２ｙ及び板部２２ａの角部を内側で被覆する被覆体８０を一体に成形してある。
【００４１】
被覆体８０は、立上片２２ｂ〜２２ｅの隣合う側縁部２２ｘ，２２ｙと板部２２ａの角部の夫々を内側で被覆する三つの被覆板部８０ａ，８０ｂ，８０ｃにより形成され、ケース２２内の両側にカバー体２３．２３が配されるとき、被覆体８０がケース２２の角部内側に配されるように構成されている。尚、カバー体２３が固定手段を構成している。
その他の構成及び作用は実施の形態１と同様であるため、同様の部品については同じ符号を付し、その詳細な説明及び作用効果の説明を省略する。
【００４２】
尚、以上説明した実施の形態では、立上片２２ｂ〜２２ｅの隣合う側縁部２２ｘ，２２ｙ及び板部２２ａの角部を被覆する三つの被覆板部８ａ，８ｂ，８ｃ（８０ａ，８０ｂ，８０ｃ）により形成された被覆体８（８０）を備える構成としたが、その他、被覆体８（８０）は立上片２２ｂ〜２２ｅの隣合う側縁部２２ｘ，２２ｙを被覆する二つの被覆板部８ａ，８ｂ（８０ａ，８０ｂ）により断面略Ｌ字形をなす構成としてもよい。また、被覆体８は二つの被覆板部８ａ，８ｂが固定される構成である他、一つの被覆板部が固定される構成であってもよい。
【図面の簡単な説明】
【００４３】
【図１】本発明に係る表示装置の構成を示す正面図である。
【図２】本発明に係る表示装置の構成を示す分解斜視図である。
【図３】本発明に係る表示装置の一部を省略した縦断側面図である。
【図４】本発明に係る表示装置の一部を省略した横断平面図である。
【図５】本発明に係る表示装置のケースの構成を示す一部を省略した斜視図である。
【図６】ケースの後側の構成を示す分解斜視図である。
【図７】ケースの角部に被覆体が装着されている状態を示す斜視図である。
【図８】本発明に係る表示装置の他の構成を示す要部の分解斜視図である。
【図９】ケースの角部に被覆体が装着されている状態を示す斜視図である。
【図１０】本発明に係る表示装置の他の構成を示す要部の分解斜視図である。
【図１１】ケースの角部に被覆体が装着されている状態を示す斜視図である。
【図１２】被覆体が装着されている箇所の断面図である。
【図１３】本発明に係る表示装置の他の構成を示す要部の斜視図である。
【符号の説明】
【００４４】
１    表示パネル（表示パネル，表示部）
１ａ  画像表示面
２    光源部（光源装置）
２１  ランプ
２２  ケース
２２ａ  板部
２２ｂ〜２２ｅ  立上片
２２ｘ，２２ｙ  側縁部
２３  カバー体
２５  螺子孔（固定手段）
２７  係止孔（被係止部，固定手段）
４    挾持枠体
５    キャビネット
８    被覆体
８ａ，８ｂ，８ｃ  被覆板部
８１  挿通孔（固定手段）
８２  係止部（固定手段）
９    螺子（固定手段）
１０  両面テープ（固定手段）
【図１】
2009212056.tif 000003
【図２】
2009212056.tif 000004
【図３】
2009212056.tif 000005
【図４】
2009212056.tif 000006
【図５】
2009212056.tif 000007
【図６】
2009212056.tif 000008
【図７】
2009212056.tif 000009
【図８】
2009212056.tif 000010
【図９】
2009212056.tif 000011
【図１０】
2009212056.tif 000012
【図１１】
2009212056.tif 000013
【図１２】
2009212056.tif 000014
【図１３】
2009212056.tif 000015